(57)【要約】      （修正有）【課題】ワンマンオペレーションをとおしてスライドレールアセンブリをラックに取り付けることができるブラケット装置及びブラケット装置を含むスライドレールアセンブリを提供する。【解決手段】ブラケット装置４４が、支持フレーム６４、第２のブラケット６６、弾性部材６８、及び締結部材７０を含む。第２のブラケットは、支持フレームに移動可能に連結される。弾性部材は、支持フレームに取り付けられる。締結部材は、弾性部材に連結される。第２のブラケットが支持フレームに対して第１の位置に位置するとき、締結部材はロック状態である。第２のブラケットが支持フレームに対して第２の位置に位置するとき、締結部材はロック解除状態である。【選択図】図３
2018075353.tif 000002
【特許請求の範囲】
【請求項１】
スライドレールアセンブリであって、
第１の端部及び該第１の端部に対向する第２の端部を有するレール部材と、
前記レール部材に固定的に連結される支持レールと、
前記レール部材に連結され、前記レール部材の前記第１の端部に隣接する第１のブラケットと、
前記レール部材の前記第２の端部に隣接して位置するブラケット装置と、
を含み、前記ブラケット装置は、
前記支持レールに移動可能に取り付けられる支持フレーム、
前記支持フレームに移動可能に連結される第２のブラケット、
前記第２のブラケットの１つの側に配置される締結部材、及び、
前記支持フレームに移動可能に取り付けられる第１の部分と、該第１の部分に対して曲げられ、前記締結部材に連結されて、前記第２のブラケットに対して偏向させるように前記締結部材を駆動する弾性力を提供する第２の部分と、を有する弾性部材、
を含む、スライドレールアセンブリ。
【請求項２】
前記支持レールは、第１のブロック部を有して配置され、前記支持フレームは、前記第１のブロック部に当接するように構成された第２のブロック部を有して配置されて、前記支持レールが、移動するよう前記支持フレームを駆動することを可能にする、請求項１に記載のスライドレールアセンブリ。
【請求項３】
前記支持フレームは、第１の係合機構を含み、前記弾性部材は、第１の弾性部、第２の弾性部、及び前記第１の弾性部と前記第２の弾性部との間に連結される連結部を含み、前記第１の弾性部は、前記連結部に対して曲げられて前記弾性力を蓄積し、前記第２の弾性部の端が、少なくとも１つの第２の係合機構を有して配置され、前記第２の係合機構は、前記支持フレームの前記第１の係合機構に係合されるように構成される、請求項１に記載のスライドレールアセンブリ。
【請求項４】
前記支持フレームと前記弾性部材との間に連結される補助弾性部材、をさらに含む請求項３に記載のスライドレールアセンブリ。
【請求項５】
前記支持フレームは、制限機構を含み、前記制限機構は、第１の境界端及び第２の境界端を有する、境界のある細長い穴であり、連結部材が、前記弾性部材を前記支持フレームに連結するように構成されて、前記弾性部材が前記制限機構の前記第１及び第２の境界端と連結部とにより画定される限られた範囲内で移動することを可能にする、請求項１に記載のスライドレールアセンブリ。
【請求項６】
前記支持フレームは、前記第１の係合機構に隣接するロック解除部を有して配置され、前記ロック解除部は、傾斜表面又は弧状表面を有する、請求項３に記載のスライドレールアセンブリ。
【請求項７】
前記支持フレームに移動可能に取り付けられる動作部材、をさらに含み、前記動作部材は、前記弾性部材の前記第２の係合機構に対応するロック解除部を含み、前記動作部材が動作的に移動されるとき、前記弾性部材の前記第２の係合機構は前記動作部材の前記ロック解除部によって前記支持フレームの前記第１の係合機構から係合解除される、請求項３に記載のスライドレールアセンブリ。
【請求項８】
前記支持フレームに取り付けられる補助弾性部材、をさらに含み、前記補助弾性部材は、支持レッグ及び弾性レッグを含み、前記支持レッグは、屈曲部を有し、前記第２のブラケットは、停止部を有して配置され、前記締結部材は、補助機構を含み、前記ブラケット装置の前記締結部材が、ロック状態であるとき、前記補助弾性部材の前記弾性レッグの前記屈曲部は、前記第２のブラケットの前記停止部に当接して前記締結部材を前記ロック状態で保持するように構成され、前記締結部材は、前記ロック状態において前記補助弾性部材の前記支持レッグの上面に隣接し、あるいは当接するように構成され、前記支持フレームが、移動するよう力を適用されるとき、前記補助弾性部材は、前記支持フレームによって移動するように駆動されて、前記補助弾性部材の前記弾性レッグの前記屈曲部が前記停止部から係合解除されることを可能にし、前記補助弾性部材の前記支持レッグの前記上面が前記締結部材の前記補助機構に面することを可能にし、そのため、前記締結部材は、前記弾性部材の前記弾性力によって前記ロック状態からロック解除状態に切り替わるように駆動され、前記ロック解除状態で保持される、請求項１に記載のスライドレールアセンブリ。
【請求項９】
前記支持フレームの端部が、第１の停止機構を有して配置され、前記弾性部材の端部が、第２の停止機構を有して配置され、前記締結部材がロック状態であるとき、前記第１の停止機構は、前記第２の停止機構に当接して前記締結部材を前記ロック状態で保持するように構成される、請求項１に記載のスライドレールアセンブリ。
【請求項１０】
ブラケット装置であって、
支持フレームと、
前記支持フレームに移動可能に連結されるブラケットと、
前記支持フレームに取り付けられる弾性部材であって、前記弾性部材は、第１の弾性部、及び前記第１の弾性部に連結される連結部を含み、前記第１の弾性部は、前記連結部に対して曲げられて弾性力を蓄積する、弾性部材と、
前記弾性部材の前記第１の弾性部に連結される締結部材と、
を含み、
第２のブラケットが前記支持フレームに対して第１の位置に位置するとき、前記締結部材はロック状態であり、
前記第２のブラケットが前記支持フレームに対して前記第１の位置から第２の位置に移動されるとき、前記締結部材は、前記弾性部材の前記弾性力によって前記ロック状態からロック解除状態に切り替わるように駆動される、
ブラケット装置。
【請求項１１】
前記支持フレームは、第１の係合機構を含み、前記弾性部材は、第２の弾性部をさらに含み、前記連結部は、前記第２の弾性部に連結され、前記第２の弾性部の端が、少なくとも１つの第２の係合機構を有して配置され、前記第２の係合機構は、前記支持フレームの前記第１の係合機構に係合されるように構成される、請求項１０に記載のブラケット装置。
【請求項１２】
前記支持フレームと前記弾性部材との間に連結される補助弾性部材、をさらに含む請求項１０に記載のブラケット装置。
【請求項１３】
前記支持フレームは、制限機構を含み、前記制限機構は、第１の境界端及び第２の境界端を有する、境界のある細長い穴であり、連結部材が、前記弾性部材を前記支持フレームに連結するように構成されて、前記弾性部材が前記第１及び第２の境界端と前記連結部材とにより画定される限られた範囲内で移動することを可能にする、請求項１０に記載のブラケット装置。
【請求項１４】
前記支持フレームは、前記第１の係合機構に隣接するロック解除部を有して配置され、前記ロック解除部は、傾斜表面又は弧状表面を有する、請求項１１に記載のブラケット装置。
【請求項１５】
前記支持フレームに移動可能に取り付けられる動作部材、をさらに含み、前記動作部材は、前記弾性部材の前記第２の係合機構に対応するロック解除部を含み、前記動作部材が動作的に移動されるとき、前記弾性部材の前記第２の係合機構は、前記動作部材の前記ロック解除部によって前記支持フレームの前記第１の係合機構から係合解除される、請求項１１に記載のブラケット装置。
【請求項１６】
前記支持フレームに取り付けられる補助弾性部材、をさらに含み、前記補助弾性部材は、支持レッグ及び弾性レッグを含み、前記支持レッグは、屈曲部を有し、前記ブラケットは、停止部を有して配置され、前記締結部材は、補助機構を含み、前記締結部材が前記ロック状態であるとき、前記補助弾性部材の前記弾性レッグの前記屈曲部は、前記ブラケットの前記停止部に当接して前記締結部材を前記ロック状態で保持するように構成され、前記締結部材は、前記ロック状態において前記補助弾性部材の前記支持レッグの上面に隣接し、あるいは当接するように構成され、前記支持フレームが、移動するよう力を適用されるとき、前記補助弾性部材は、前記支持フレームによって移動するように駆動されて、前記補助弾性部材の前記弾性レッグの前記屈曲部が前記停止部から係合解除されることを可能にし、前記補助弾性部材の前記支持レッグの前記上面が前記締結部材の前記補助機構に面することを可能にし、そのため、前記締結部材は、前記弾性部材の前記弾性力によって前記ロック状態から前記ロック解除状態に切り替わるように駆動され、前記ロック解除状態で保持される、請求項１０に記載のブラケット装置。
【請求項１７】
前記支持フレームの端部が、第１の停止機構を有して配置され、前記弾性部材の端部が、第２の停止機構を有して配置され、前記締結部材が前記ロック状態であるとき、前記第１の停止機構は、前記第２の停止機構に当接して前記締結部材を前記ロック状態で保持するように構成される、請求項１０に記載のブラケット装置。
【請求項１８】
ラックの第１の柱及び第２の柱に取り付けられるように構成されたスライドレールアセンブリであって、
第１の端部及び該第１の端部に対向する第２の端部を有するレール部材と、
前記レール部材に連結され、前記レール部材の前記第１の端部に隣接する第１のブラケットであって、前記第１の柱に取り付けられるように構成された、第１のブラケットと、
前記レール部材の前記第２の端部に隣接するブラケット装置と、
を含み、前記ブラケット装置は、
支持フレーム、
前記支持フレームに移動可能に連結される第２のブラケット、
前記支持フレームに取り付けられる弾性部材、及び、
前記弾性部材に連結される締結部材、
を含み、
前記第２のブラケットが前記支持フレームに対して第２の位置に位置するとき、前記締結部材は、ロック解除状態であって前記第２のブラケットが前記第２の柱に取り付けられることを可能にし、前記第２のブラケットが前記支持フレームに対して前記第２の位置から第１の位置に移動されるとき、前記締結部材は、前記弾性部材の弾性力によって前記ロック解除状態からロック状態に切り替わるように駆動されて、前記第２のブラケットを前記第２の柱にロックする、
スライドレールアセンブリ。
【請求項１９】
前記支持フレームと前記弾性部材との間に連結される補助弾性部材、をさらに含み、前記支持フレームは、第１の係合機構を含み、前記弾性部材は、第１の弾性部、第２の弾性部、及び前記第１の弾性部と前記第２の弾性部との間に連結される連結部を含み、前記第１の弾性部は、前記連結部に対して曲げられて前記弾性力を蓄積し、前記第２の弾性部の端が、少なくとも１つの第２の係合機構を有して配置され、前記第２の係合機構は、前記支持フレームの前記第１の係合機構に係合されるように構成される、請求項１８に記載のスライドレールアセンブリ。
【請求項２０】
前記支持フレームに移動可能に取り付けられる動作部材、をさらに含み、前記動作部材は、前記弾性部材の前記第２の係合機構に対応するロック解除部を含み、前記動作部材が動作的に移動されるとき、前記弾性部材の前記第２の係合機構は、前記動作部材の前記ロック解除部によって前記支持フレームの前記第１の係合機構から係合解除される、請求項１９に記載のスライドレールアセンブリ。
【発明の詳細な説明】
【技術分野】
【０００１】
本発明は、スライドレールのためのブラケット装置に関し、より詳細には、スライドレールをラックの柱に取り付けることができるブラケット装置に関する。
【背景技術】
【０００２】
中国実用新案第205548022号明細書は、スライドレールのフロントエンドでロック解除されるバックロック構造を提供し、上記は、フロントロックメカニズムとバックロックメカニズムとを有してそれぞれ配置された２つの端を有するスライドレールを含む。バックロックメカニズムは、柱ロックプレートを用いて設置されるスプリットタイプメインボードを含む。メインボードは、第１のマザーボードと第２のマザーボードとに分割される。第１のマザーボードは、Ｚ形状の断面を有する第１のマザーボード本体を含む。複数の第１の取り付け穴が、第１のマザーボード本体の中間部に形成され、分岐した尾状突起（tail  lug）が、第１のマザーボード本体の中間部のフロントエンド上に形成される。第２のメインボードは、第１のマザーボードに連結するための屈曲構造を有して形成されたヘッド部を有する第２のメインボード本体を含む。分岐した尾状溝（tail  groove）が、上記屈曲構造のフロントエンド表面の中間部に形成される。第２の取り付け穴が、第２のメインボード本体の屈曲構造の側部に形成される。第２のメインボードは、締結具によってスライドレールに固定される。ロック解除ロッドが、スライドレールのスライドフレームの内側に配置される。弾性部品が、ヘッド部に配置される。弾性部品の一方の端が、留め部材（retaining  member）をとおしてスライドフレームに固定され、弾性部品の他方の端が、留め部材をとおして柱ロックプレートに固定される。
【０００３】
先行技術により開示される配置では、柱ロックプレートは、ロック解除状態で保持されることができない。柱ロックプレートをロック解除状態で保持して、ラックの柱に対するスライドレールの設置を容易にするためには、ユーザに頼って、外力を連続的に加えなければならない。しかしながら、複数のサーバ装置がラックに積まれるとき、ユーザが外力を連続的に加えてバックロックメカニズムをオープンに（ロック解除状態に）保ち、ラックの前のユーザがラックの前後の柱にスライドレールを取り付けることを可能にするための余分な空間は、存在しない。
【先行技術文献】
【特許文献】
【０００４】
【特許文献１】米国特許第9,629,460号明細書
【特許文献２】中国特許第103945671号明細書
【発明の概要】
【０００５】
本発明は、ワンマンオペレーションをとおしてスライドレールアセンブリをラックに取り付けることができるブラケット装置に関する。
【０００６】
本発明の一実施形態に従い、スライドレールアセンブリが、第１の端部及び該第１の端部に対向する第２の端部を有するレール部材と、上記レール部材に固定的に連結される支持レールと、上記レール部材に連結され、上記レール部材の上記第１の端部に隣接する第１のブラケットと、上記レール部材の上記第２の端部に隣接して位置するブラケット装置と、を含む。上記ブラケット装置は、上記支持レールに移動可能に取り付けられる支持フレーム、上記支持フレームに移動可能に連結される第２のブラケット、上記第２のブラケットの１つの側に配置される締結部材、及び、上記支持フレームに移動可能に取り付けられる第１の部分と、該第１の部分に対して曲げられ、上記締結部材に連結されて、上記第２のブラケットに対して偏向させるように上記締結部材を駆動する弾性力を提供する第２の部分と、を有する弾性部材、を含む。
【０００７】
好ましくは、上記支持レールは、第１のブロック部を有して配置される。上記支持フレームは、上記第１のブロック部に当接するように構成された第２のブロック部を有して配置されて、上記支持レールが、移動するよう上記支持フレームを駆動することを可能にする。
【０００８】
好ましくは、上記支持フレームは、第１の係合機構を含む。上記弾性部材は、第１の弾性部、第２の弾性部、及び上記第１の弾性部と上記第２の弾性部との間に連結される連結部を含む。上記第１の弾性部は、上記連結部に対して曲げられて上記弾性力を蓄積する。上記第２の弾性部の端が、少なくとも１つの第２の係合機構を有して配置される。上記第２の係合機構は、上記支持フレームの上記第１の係合機構に係合されるように構成される。
【０００９】
好ましくは、上記スライドレールアセンブリは、上記支持フレームと上記弾性部材との間に連結される補助弾性部材をさらに含む。
【００１０】
好ましくは、上記支持フレームは、制限機構を含む。上記制限機構は、第１の境界端及び第２の境界端を有する、境界のある細長い穴である。連結部材が、上記弾性部材を上記支持フレームに連結するように構成されて、上記弾性部材が上記制限機構の上記第１及び第２の境界端と上記連結部とにより画定される限られた範囲内で移動することを可能にする。
【００１１】
好ましくは、上記支持フレームは、上記第１の係合機構に隣接するロック解除部を有して配置される。上記ロック解除部は、傾斜表面又は弧状表面を有する。
【００１２】
好ましくは、上記スライドレールアセンブリは、上記支持フレームに移動可能に取り付けられる動作部材をさらに含む。上記動作部材は、上記弾性部材の上記第２の係合機構に対応するロック解除部を含む。上記動作部材が動作的に（operatively）移動されるとき、上記弾性部材の上記第２の係合機構は上記動作部材の上記ロック解除部によって上記支持フレームの上記第１の係合機構から係合解除される。
【００１３】
好ましくは、上記スライドレールアセンブリは、上記支持フレームに取り付けられる補助弾性部材をさらに含む。上記補助弾性部材は、支持レッグ及び弾性レッグを含む。上記支持レッグは、屈曲部を有する。上記第２のブラケットは、停止部を有して配置される。上記締結部材は、補助機構を含む。上記ブラケット装置の上記締結部材が、ロック状態であるとき、上記補助弾性部材の上記弾性レッグの上記屈曲部は、上記第２のブラケットの上記停止部に当接して上記締結部材を上記ロック状態で保持するように構成される。上記締結部材は、上記ロック状態において上記補助弾性部材の上記支持レッグの上面に隣接し、あるいは当接するように構成される。上記支持フレームが、移動するよう力を適用されるとき、上記補助弾性部材は、上記支持フレームによって移動するように駆動されて、上記補助弾性部材の上記弾性レッグの上記屈曲部が上記停止部から係合解除されることを可能にし、上記補助弾性部材の上記支持レッグの上記上面が上記締結部材の上記補助機構に面することを可能にし、そのため、上記締結部材は、上記弾性部材の上記弾性力によって上記ロック状態からロック解除状態に切り替わるように駆動され、上記ロック解除状態で保持される。
【００１４】
好ましくは、上記支持フレームの端部が、第１の停止機構を有して配置される。上記弾性部材の端部が、第２の停止機構を有して配置される。上記締結部材がロック状態であるとき、上記第１の停止機構は、上記第２の停止機構に当接して上記締結部材を上記ロック状態で保持するように構成される。
【００１５】
本発明の別の実施形態に従い、ブラケット装置が、支持フレームと、上記支持フレームに移動可能に連結されるブラケットと、上記支持フレームに取り付けられる弾性部材であって、上記弾性部材は、第１の弾性部、及び上記第１の弾性部に連結される連結部を含み、上記第１の弾性部は、上記連結部に対して曲げられて弾性力を蓄積する、弾性部材と、上記弾性部材の上記第１の弾性部に連結される締結部材と、を含む。上記第２のブラケットが上記支持フレームに対して第１の位置に位置するとき、上記締結部材はロック状態である。上記第２のブラケットが上記支持フレームに対して上記第１の位置から第２の位置に移動されるとき、上記締結部材は、上記弾性部材の上記弾性力によって上記ロック状態からロック解除状態に切り替わるように駆動される。
【００１６】
本発明の別の実施形態に従い、スライドレールアセンブリが、ラックの第１の柱及び第２の柱に取り付けられるように構成される。上記スライドレールアセンブリは、第１の端部及び該第１の端部に対向する第２の端部を有するレール部材と、上記レール部材に連結され、上記レール部材の上記第１の端部に隣接する第１のブラケットであって、上記第１の柱に取り付けられるように構成された、第１のブラケットと、上記レール部材の上記第２の端部に隣接するブラケット装置と、を含み、上記ブラケット装置は、支持フレーム、上記支持フレームに移動可能に連結される第２のブラケット、上記支持フレームに取り付けられる弾性部材、及び、上記弾性部材に連結される締結部材、を含む。上記第２のブラケットが上記支持フレームに対して第２の位置に位置するとき、上記締結部材は、ロック解除状態であって上記第２のブラケットが上記第２の柱に取り付けられることを可能にし、上記第２のブラケットが上記支持フレームに対して上記第２の位置から第１の位置に移動されるとき、上記締結部材は、上記弾性部材の弾性力によって上記ロック解除状態からロック状態に切り替わるように駆動されて、上記第２のブラケットを上記第２の柱にロックする。
【００１７】
本発明の上記及び他の目的が、様々な図表及び図面に例示される好適な実施形態についての下記の詳細な説明を読んだ当業者に疑いなく明らかになるであろう。
【図面の簡単な説明】
【００１８】
【図１】本発明の第１の実施形態に従う、ラックの第１の柱及び第２の柱に取り付けられているスライドレールアセンブリを示す図である。
【図２】本発明の第１の実施形態に従うスライドレールアセンブリを示す図である。
【図３】本発明の第１の実施形態に従うスライドレールアセンブリの分解組立図である。
【図４】本発明の第１の実施形態に従う、ロック状態におけるブラケット装置の締結部材を示す図である。
【図５】本発明の第１の実施形態に従う、支持フレームから係合解除されているブラケット装置の弾性部材を示す図である。
【図６】本発明の第１の実施形態に従う、ロック解除状態におけるブラケット装置の締結部材を示す図である。
【図７】本発明の第１の実施形態に従う、ラックの第２の柱にロックされることなく該第２の柱に取り付けられているブラケット装置を示す図である。
【図８】本発明の第１の実施形態に従う、ラックの第２の柱に取り付けられ及びロックされているブラケット装置を示す図である。
【図９】本発明の第１の実施形態に従う、支持フレームに係合されている弾性部材と共に、ラックの第２の柱に取り付けられ及びロックされているブラケット装置を示す図である。
【図１０】図９の領域Ａの拡大図である。
【図１１】本発明の第１の実施形態に従う、支持フレームから係合解除されている弾性部材を示す図である。
【図１２】本発明の第１の実施形態に従う、第２の柱をロック解除しているブラケット装置の締結部材を示す図である。
【図１３】本発明の第１の実施形態に従う、ラックの第２の柱に取り付けられているブラケット装置を示す図である。
【図１４】図１３の領域Ａの拡大図である。
【図１５】本発明の第１の実施形態に従う、第２の柱に取り付けられ及びロックされているブラケット装置を示す図である。
【図１６】図１５の領域Ａの拡大図である。
【図１７】本発明の第１の実施形態に従う、ラックの第１の柱及び第２の柱に取り付けられているスライドレールアセンブリを示す図である。
【図１８】本発明の第１の実施形態に従う、動作部材をさらに備えたブラケット装置を示す図であり、締結部材はロック状態である。
【図１９】本発明の第１の実施形態に従う、動作部材により操作されているブラケット装置を示す図であり、締結部材はロック状態からロック解除状態に切り替えられる。
【図２０】本発明の第２の実施形態に従うブラケット装置の分解組立図である。
【図２１】本発明の第２の実施形態に従うブラケット装置を示す図である。
【図２２】本発明の第２の実施形態に従う、別の角度におけるブラケット装置を示す図である。
【図２３】図２２の領域Ａの拡大図である。
【図２４】本発明の第２の実施形態に従う、ある方向に沿って移動されているブラケット装置の支持フレームを示す図である。
【図２５】図２４の領域Ａの拡大図である。
【図２６】本発明の第２の実施形態に従う、ロック解除状態におけるブラケット装置の締結部材を示す図である。
【図２７】図２６の領域Ａの拡大図である。
【図２８】本発明の第３の実施形態に従う、ロック状態におけるブラケット装置の締結部材を示す図である。
【図２９】図２８の領域Ａの拡大図である。
【図３０】本発明の第３の実施形態に従う、ロック解除状態におけるブラケット装置の締結部材を示す図である。
【図３１】図３０の領域Ａの拡大図である。
【図３２】本発明の第４の実施形態に従う、ロック状態におけるブラケット装置の締結部材を示す図である。
【図３３】図３２の領域Ａの拡大図である。
【図３４】本発明の第４の実施形態に従う、ロック解除状態におけるブラケット装置の締結部材を示す図である。
【図３５】図３４の領域Ａの拡大図である。
【図３６】本発明の第５の実施形態に従う、ロック状態におけるブラケット装置の締結部材を示す図である。
【図３７】図３６の領域Ａの拡大図である。
【図３８】本発明の第５の実施形態に従う、ロック解除状態におけるブラケット装置の締結部材を示す図である。
【図３９】図３８の領域Ａの拡大図である。
【発明を実施するための形態】
【００１９】
図１は、本発明の第１の実施形態に従う、スライドレールアセンブリ４０が第１のブラケット４２及びブラケット装置４４をとおしてラックの第１の柱４６及び第２の柱４８に取り付けられることを示す。
【００２０】
図２及び図３に示されるとおり、スライドレールアセンブリ４０は、レール部材５０、支持レール５２、第１のブラケット４２、及びブラケット装置４４を含む。レール部材５０は、第１の端部５４ａと、第１の端部５４ａに対向する第２の端部５４ｂとを有する。支持レール５２は、レール部材５０の背板に固定的に連結され、そのため、支持レール５２は、レール部材５０の一部分として見ることができる。支持レール５２は、上部壁５６ａ、下部壁５６ｂ、及び上部壁５６ａと下部壁５６ｂとの間に連結された長手方向壁５８を有する。通路６０が、上部壁５６ａ、下部壁５６ｂ、及び長手方向壁５８によって画定される。第１のブラケット４２は、レール部材５０に連結され、レール部材５０の第１の端部５４ａに隣接する。好ましくは、第１のブロック部（blocking  part）６２が、通路６０内の支持レール５２の長手方向壁５８上に配置される。一方、ブラケット装置４４は、レール部材５０の第２の端部５４ｂに隣接して位置する。上記において、ブラケット装置４４は、支持フレーム６４、第２のブラケット６６、弾性部材６８、及び締結部材７０を含む。
【００２１】
支持フレーム６４は、支持レール５２に移動可能に取り付けられ、支持レール５２の通路６０内で移動可能である。本実施形態において、支持フレーム６４は、支持レール５２の第１のブロック部６２に対応する第２のブロック部７２を有する。支持フレーム６４を支持レール５２に取り付けるとき、支持フレーム６４は、支持レール５２の通路６０に挿入されて、第２のブロック部７２が支持レール５２の第１のブロック部６２に対して弾性的に接触し、交差することを可能にする。ゆえに、第２のブロック部７２は、第１のブロック部６２に当接する（abut  against）ように構成され、そのため、支持フレーム６４は、支持レール５２によって移動するように駆動されることができる。好ましくは、支持フレーム６４は、制限機構（limiting  feature）７４、及び、第２のブロック部７２と制限機構７４との間に位置する第１の係合機構（engaging  feature）７６をさらに含む。
【００２２】
第２のブラケット６６は、少なくとも１つの取り付け部材７８、例えば、２つの取り付け部材７８などを含む。本実施形態において、第２のブラケット６６は、側壁８０及び端壁８２をさらに含む。側壁８０は、支持フレーム６４に連結される（例えば、移動可能に連結されるなど）。端壁８２は、側壁８０に実質的に垂直に連結される。少なくとも１つの取り付け部材７８は、端壁８２に取り付けられる。好ましくは、側壁８０は、支持フレーム６４の上部側及び下部側にそれぞれ拡張された一対の保持部８４を有して配置される。
【００２３】
弾性部材６８は、支持フレーム６４に取り付けられる。弾性部材６８は、第１の弾性部８６、第２の弾性部８８、及び第１の弾性部８６と第２の弾性部８８との間に連結された連結部９０を含む。上記において、第１の弾性部８６は、連結部９０に対して曲げられて、弾性力を蓄積する。第２の弾性部８８の端が、少なくとも１つの第２の係合機構９２（例えば、２つの第２の係合機構９２など）を有して配置される。第２の係合機構９２は、支持フレーム６４の第１の係合機構７６に係合されるように構成される。連結部９０は、少なくとも１つの連結部材９４（例えば、２つの連結部材９４など）をとおして、弾性部材６８を支持フレーム６４に連結する。詳細に、支持フレーム６４の制限機構７４は、第１の境界端７７ａと第２の境界端７７ｂとを有する、境界のある細長い穴であって、２つの連結部９４が弾性部材６８を支持フレーム６４に連結することを可能にする。弾性部材６８は、制限機構７４の第１及び第２の境界端７７ａ、７７ｂと２つの連結部９４とにより画定される限られた範囲内で移動可能である。
【００２４】
好ましい一実施形態において、ブラケット装置４４は、支持フレーム６４と弾性部材６８との間に連結された少なくとも１つの補助弾性部材９６（例えば、２つの補助弾性部材９６を含む）をさらに含む。
【００２５】
締結部材７０は、弾性部材６８に連結される。例えば、締結部材７０は、弾性部材６８の第１の弾性部８６に連結され、締結部材７０は、少なくとも１つの締結部９８（例えば、２つの締結部９８など）を有する。
【００２６】
図４に示されるとおり、弾性部材６８の第２の係合機構９２が、支持フレーム６４の第１の係合機構７６に係合されるとき、連結部材９４は、支持フレーム６４の制限機構７４の第１の境界端７７ａに隣接して位置する。ブラケット装置４４は、補助弾性部材９６をとおして取り付け部材７８に対してロック状態で締結部材７０を保持するように構成される。一方、第２のブラケット６６は、支持フレーム６４に対して第１の位置Ｐ１に位置する。
【００２７】
図５に示されるとおり、外力が、弾性部材６８の第２の係合機構９２に対して適用されて、支持フレーム６４の第１の係合機構７６から第２の係合機構９２を係合解除する（disengage）ことができる。
【００２８】
図６に示されるとおり、弾性部材６８の第２の係合機構９２が、支持フレーム６４の第１の係合機構７６から係合解除されるとき、補助弾性部材９６は、弾性力を解放し、そのため、弾性部材６８は、補助弾性部材９６の弾性力に応答して移動される。一方、連結部材９４は、支持フレーム６４の制限機構７４の第２の境界端７７ｂに隣接して位置する。ブラケット装置４４の締結部材７０は、弾性部材６８の第１の弾性部８６の弾性力に応答して偏向させられ、そのため、締結部材７０は、取り付け部材７８に対してロック解除（unlocking）状態である。一方、第２のブラケット６６は、支持フレーム６４に対して第１の位置Ｐ１から第２の位置Ｐ２に移動される。
【００２９】
図７に示されるとおり、ブラケット装置４４の締結部材７０がロック解除状態であるとき、ブラケット装置４４の２つの取り付け部材７８は、第１の方向Ｄ１に沿ってラックの第２の柱４８の２つの穴１００にそれぞれ挿入されることができる。
【００３０】
図８に示されるとおり、外力が、第１の方向Ｄ１に沿ってブラケット装置４４にさらに適用されるとき、ブラケット装置４４の支持フレーム６４は、第２の柱４８に対して移動するように駆動され、そのため、支持フレーム６４の第１の係合機構７６は、弾性部材６８の第２の係合機構９２に係合される。ゆえに、締結部材７０は、補助弾性部材９６の弾性力によってロック解除状態からロック状態に切り替わるように駆動され、したがって、ブラケット装置４４は、第２の柱４８に対してロックされる。一方、締結部材７０の締結部９８は、第２の柱４８の一部分に対応して、ブラケット装置４４を第２の柱４８に安定的に取り付ける。
【００３１】
図９及び図１０に示されるとおり、ロック解除部１０２が、ブラケット装置４４の支持フレーム６４上に配置され、第１の係合機構７６に隣接する。好ましくは、ロック解除部１０２は、傾斜表面又は弧状表面を有する。
【００３２】
図１１及び図１２に示されるとおり、ブラケット装置４４をロック解除するために、外力が、第１の方向Ｄ１に沿ってブラケット装置４４に適用されて、ロック解除部１０２をとおして弾性部材６８に当接するようにブラケット装置４４の支持フレーム６４を駆動することができ、そのため、弾性部材６８の第２の係合機構９２は、支持フレーム６４の第１の係合機構７６から係合解除される。補助弾性部材９６は、それから、弾性力をすぐに解放し、そのため、弾性部材６８は、補助弾性部材９６の弾性力に応答して移動される。締結部材７０は、弾性部材６８の第１の弾性部８６の弾性力に応答してさらに偏向させられ、そのため、締結部材７０は、取り付け部材７８に対してロック解除状態である。そのようなものとして、ブラケット装置４４は、第２の柱４８から取り外されることができる。
【００３３】
図１３乃至図１７は、スライドレールアセンブリ４０を第１の柱４６及び第２の柱４８に取り付ける動作を示す図である。最初、ブラケット装置４４の締結部材７０が、ロック解除状態であるように操作される。その後、ブラケット装置４４の取り付け部材７８が、第２の柱４８の穴に挿入される。外力が、第１の方向Ｄ１に沿ってブラケット装置４４にさらに適用されるとき、ブラケット装置４４の支持フレーム６４が、第２の柱４８に対して移動するように駆動され、そのため、支持フレーム６４の第１の係合機構７６は、弾性部材６８の第２の係合機構９２に係合される。ゆえに、締結部材７０は、補助弾性部材９６の弾性力によってロック解除状態からロック状態に切り替わるように駆動され、そのため、ブラケット装置４４は、第２の柱４８にロックされる。その後、第１のブラケット４２が、第１の柱４６にさらに取り付けられて、スライドレールアセンブリ４０を第１の柱４６及び第２の柱４８に安定的に取り付けることができる。
【００３４】
図１８及び図１９に示されるとおり、スライドレールアセンブリ４０は、ブラケット装置４４の支持フレーム６４に移動可能に取り付けられた動作部材１０４をさらに含む。例えば、動作部材１０４は、境界のある長手方向穴１０６を有し、連結部材１０８が、長手方向穴１０６を通って動作部材１０４を支持フレーム６４に連結するように構成される。そのようなものとして、動作部材１０４は、支持フレーム６４に対して移動するように操作されることができる。動作部材１０４は、弾性部材６８の第２の係合機構９２に対応するロック解除部１１０を含む。動作部材１０４が、第２の方向Ｄ２に沿って移動するように操作されるとき、弾性部材６８の第２の係合機構９２は、動作部材１０４のロック解除部１１０によって支持フレーム６４の第１の係合機構７６から係合解除される。そのようなものとして、ブラケット装置４４の締結部材７０は、ロック状態からロック解除状態に切り替わるように駆動されて、ブラケット装置４４が第２の柱４８に取り付けられることを可能にする。関連する動作について、図１３乃至１７を参照されたい。
【００３５】
図２０及び図２１は、本発明の第２の実施形態に従うスライドレールアセンブリのブラケット装置２００を示す図である。ブラケット装置２００は、支持フレーム２０２、第２のブラケット２０４、弾性部材２０６、締結部材２０８、及び補助弾性部材２１０を含む。
【００３６】
支持フレーム２０２は、第１の実施形態の支持フレーム６４のものと実質的に同一の制限機構２１２及び第２のブロック部２１４を含む。本実施形態において、支持フレーム２０２は、第１の実施形態の支持フレーム６４の第１の係合機構７６を有して配置されない。支持フレーム２０２の端が、少なくとも１つの第１の取り付け機構（mounting  feature）２１６（例えば、２つの第１の取り付け機構２１６など）を有して配置される。第１の取り付け機構２１６は、本実施形態において突出部である。
【００３７】
第２のブラケット２０４は、第１の実施形態の第２のブラケット６６のものと実質的に同一の側壁２１８及び端壁２２０を含む。第１の実施形態の第２のブラケット６６と異なるのは、側壁２１８がさらに停止部２２２を有して配置されることである。停止部２２２は、本実施形態において突出部である。
【００３８】
弾性部材２０６は、２つの連結部材２２４をとおして第２のブラケット２０４及び支持フレーム２０２に連結される。上記において、弾性部材２０６は、第１の弾性部２２６及び連結部２２８を含む。第１の弾性部２２６と連結部２２８との間の配置は、第１の実施形態のものと実質的に同一であり、ゆえに、さらなる例示は提供されない。
【００３９】
締結部材２０８は、第１の実施形態の締結部材７０と同様である。締結部材２０８は、弾性部材２０６に連結される。例えば、締結部材２０８は、弾性部材２０６の第１の弾性部２２６に連結される。第１の実施形態の締結部材７０と異なるのは、締結部材２０８がさらに、補助機構（auxiliary  feature）２３０、例えば、穴又は開放型（non-enclosed）開口などを有して配置されることである。
【００４０】
補助弾性部材２１０は、支持フレーム２０２に取り付けられる。補助弾性部材２１０は、少なくとも１つの第２の取り付け機構２３２（例えば、２つの第２の取り付け機構２３２など）を含む。本実施形態において、第２の取り付け機構２３２は、凹部である。第１の取り付け機構２１６を第２の取り付け機構２３２に係合させることをとおして、補助弾性部材２１０は、支持フレーム２０２に取り付けられることができる。補助弾性部材２１０は、支持レッグ（supporting  leg）２３４及び弾性レッグ（elastic  leg）２３６を含む。支持レッグ２３４及び弾性レッグ２３６の各々は、第２の取り付け機構２３２を有して配置される。上記において、弾性レッグ２３６の端は、屈曲部２３８を有して配置される。
【００４１】
図２２及び図２３に示されるとおり、ブラケット装置２００の締結部材２０８が、ロック状態であるとき、補助弾性部材２１０の弾性レッグ２３６の屈曲部２３８は、第２のブラケット２０４の停止部２２２に当接するように構成されて、締結部材２０８をロック状態で保持する。好ましくは、停止部２２２は、傾斜表面２２３を有し、傾斜表面２２３は、弾性レッグ２３６の屈曲部２３８が停止部２２２に容易に弾性的に交差して停止部２２２にさらに当接することを可能にするように構成される。一方、締結部材２０８は、補助弾性部材２１０の支持レッグ２３４の上面（top  face）に隣接し、あるいは当接するように構成される。支持レッグ２３４と締結部材２０８との間の制限によって、締結部材２０８は動くように操作されることができず、締結部材２０８をロック状態で保持する。
【００４２】
図２４及び図２５に示されるとおり、外力が、第２の方向Ｄ２に沿ってブラケット装置２００の支持フレーム２０２に適用されるとき、補助弾性部材２１０は、支持フレーム２０２によって移動されるように駆動され、そのため、もともと第２のブラケット２０４の停止部２２２に当接している補助弾性部材２１０の弾性レッグ２３６の屈曲部２３８は、停止部２２２から係合解除するように弾性的に変形される。
【００４３】
図２６及び図２７に示されるとおり、外力が、第２の方向Ｄ２に沿ってブラケット装置２００の支持フレーム２０２に依然として適用されるとき、補助弾性部材２１０は、支持フレーム２０２によって移動するように駆動されて、補助弾性部材２１０の支持レッグ２３４の上面（top  face）２３５が締結部材２０８の補助機構２３０に面する（face）ことを可能にし、そのため、締結部材２０８は、弾性部材２０６の第１の弾性部２２６の弾性力によってロック状態からロック解除状態に切り替わるように駆動され、締結部材２０８は、ロック解除状態でさらに保持される。一方、補助機構２３０は、さらに、開放型開口であってもよい。弾性部材２０６の第１の弾性部２２６の弾性力をとおして、締結部材２０８は、さらに、ロック状態からロック解除状態に切り替わるように駆動され、ロック解除状態で保持されることができる。
【００４４】
図２８及び図２９は、本発明の第３の実施形態に従うブラケット装置３００を示す図である。第２の実施形態のブラケット装置２００と異なるのは、第２の実施形態の補助弾性部材２１０は取り外されるが、代わってブラケット装置３００の支持フレーム３０２及び弾性部材３０６の端部は、それぞれ、第１の停止機構（stopping  feature）３０４及び第２の停止機構３０８を有して配置されることである。ブラケット装置３００の締結部材３１０がロック状態であるとき、第１の停止機構３０４は、第２の停止機構３０８に当接して、ブラケット装置３００の締結部材３１０をロック状態で保持する。
【００４５】
図３０及び図３１に示されるとおり、外力が、第２の方向Ｄ２に沿ってブラケット装置３００の支持フレーム３０２に適用されるとき、支持フレーム３０２は、弾性部材３０６に対して移動され、そのため、第１の停止機構３０４及び第２の停止機構３０８は、互いから係合解除される。弾性部材３０６の弾性力をとおして、締結部材３１０は、ロック状態からロック解除状態に切り替わるように駆動されて、ロック状態で保持される。
【００４６】
図２９に示される第１の停止機構３０４及び第２の機構３０８は、それぞれ、突出部であり得、これらは、上向きに突き出され、互いに当接する。換言すると、第１の停止機構３０４と第２の停止機構３０８との各々は、突出部の形式で実装される。
【００４７】
あるいは、図３２乃至図３５に示される本発明の第４の実施形態において、ブラケット装置４００の第１の停止機構４０４及び第２の停止機構４０８は、それぞれ、突出部であり得、これらは、横方向に突き出され、互いに当接する。換言すると、第１の停止機構４０４と第２の停止機構４０８との各々は、突出部の形式で実装される。
【００４８】
あるいは、図３６乃至図３９に示される本発明の第５の実施形態において、ブラケット装置５００の第１の停止機構５０４及び第２の機構５０８は、それぞれ、互いに当接する穴及び突出部であり得る。換言すると、第１の停止機構５０４は穴の形式で実装され、第２の停止機構５０８は突出部の形式で実装される。
【００４９】
前述の配置によって、スライドレールアセンブリは、ラックの前のたった１人のユーザによって簡便に及び迅速に、ラックに取り付けられ、あるいはラックから取り外されることができる。
【００５０】
当業者は、本発明の教示を保有すると同時に、装置及び方法についての多数の修正及び変形がなされ得ることを容易に観察するであろう。したがって、上記開示は、別記の請求項の範囲及び境界によってのみ限定されるとみなされるべきである。
【符号の説明】
【００５１】
４０  スライドレールアセンブリ
４２  第１のブラケット
４４  ブラケット装置
４６  第１の柱
４８  第２の柱
５０  レール部材
５２  支持レール
６０  通路
６２  第１のブロック部
６４  支持フレーム
６６  第２のブラケット
６８  弾性部材
７０  締結部材
７２  第２のブロック部
７４  制限機構
７６  第１の係合機構
８６  第１の弾性部
８８  第２の弾性部
９０  連結部
９２  第２の係合機構
９４  連結部材
【図１】
2018075353.tif 000003
【図２】
2018075353.tif 000004
【図３】
2018075353.tif 000005
【図４】
2018075353.tif 000006
【図５】
2018075353.tif 000007
【図６】
2018075353.tif 000008
【図７】
2018075353.tif 000009
【図８】
2018075353.tif 000010
【図９】
2018075353.tif 000011
【図１０】
2018075353.tif 000012
【図１１】
2018075353.tif 000013
【図１２】
2018075353.tif 000014
【図１３】
2018075353.tif 000015
【図１４】
2018075353.tif 000016
【図１５】
2018075353.tif 000017
【図１６】
2018075353.tif 000018
【図１７】
2018075353.tif 000019
【図１８】
2018075353.tif 000020
【図１９】
2018075353.tif 000021
【図２０】
2018075353.tif 000022
【図２１】
2018075353.tif 000023
【図２２】
2018075353.tif 000024
【図２３】
2018075353.tif 000025
【図２４】
2018075353.tif 000026
【図２５】
2018075353.tif 000027
【図２６】
2018075353.tif 000028
【図２７】
2018075353.tif 000029
【図２８】
2018075353.tif 000030
【図２９】
2018075353.tif 000031
【図３０】
2018075353.tif 000032
【図３１】
2018075353.tif 000033
【図３２】
2018075353.tif 000034
【図３３】
2018075353.tif 000035
【図３４】
2018075353.tif 000036
【図３５】
2018075353.tif 000037
【図３６】
2018075353.tif 000038
【図３７】
2018075353.tif 000039
【図３８】
2018075353.tif 000040
【図３９】
2018075353.tif 000041